(57)【要約】【課題】  非稼動状態にあっても遊技者を引き寄せる工夫がなされ、容易に稼動を高めることができるパチンコ遊技機を提供する。【解決手段】  パチンコ遊技機１は、大当たりを発生させるか否かを決定するための大当たり抽選処理を始動入賞に応じて実行する大当たり抽選手段と、大当たり抽選処理の結果を大当たり図柄またはハズレ図柄にて表示する図柄表示手段と、始動入賞に応じて図柄表示手段の図柄変動を開始し、次の始動入賞を条件としてその図柄変動を停止し、大当たり抽選処理の結果を表示させる表示制御手段とを備える。【選択図】  図１
2006239143.tif 000002
【特許請求の範囲】
【請求項１】
大当たりを発生させるか否かを決定するための大当たり抽選処理を始動入賞に応じて実行する大当たり抽選手段と、
前記大当たり抽選処理の結果を大当たり図柄またはハズレ図柄にて表示する図柄表示手段と、
前記始動入賞を開始条件として前記図柄表示手段の図柄変動を開始し、前記開始条件となる始動入賞以降の始動入賞を停止条件としてその図柄変動を停止し、前記大当たり抽選処理の結果を表示する制御を行なう表示制御手段と、
を備えたことを特徴とするパチンコ遊技機。
【請求項２】
前記図柄表示手段が前記図柄変動を行なっている最中に、この図柄変動が停止したときに表示するべき前記大当たり抽選処理の結果に関連付けられた表示演出を所定時間間隔で繰り返し実行する表示演出手段を備えたことを特徴とする請求項１記載のパチンコ遊技機。
【請求項３】
前記表示制御手段は、前記大当たり抽選処理の結果が所定の大当たりである場合には、前記停止条件となる始動入賞を待つことなく前記図柄表示手段の図柄変動を停止する制御を行なうことを特徴とする請求項１または２記載のパチンコ遊技機。
【発明の詳細な説明】
【技術分野】
【０００１】
本発明は、パチンコ遊技機に関する。
【背景技術】
【０００２】
セブン機と呼ばれるタイプのパチンコ遊技機は、始動入賞口に玉が入賞すると大当たり抽選を行なって図柄を変動するのが一般的である。表示部の図柄変動が途切れると、遊技者はスランプに陥ったような感覚を持つ。そのため、図柄変動が続かない遊技台は敬遠されやすく、稼働率も上がりにくい。
【０００３】
そこで、昨今のパチンコ遊技機は、保留玉が少ないときは図柄変動時間を長く設定し、保留玉が多いときは図柄変動時間を短く設定するという制御を行ない、図柄変動がなるべく途切れないようにしている。また、下記特許文献１には、玉の発射状態を検出し、発射状態にあるときには常に図柄変動を行ない、停止入賞部分（始動入賞口に相当）に玉が入賞することに応じて当たり／ハズレを抽選したうえで図柄変動を停止して抽選結果を表示するパチンコ遊技機が記載されている。
【特許文献１】特開２００３−２６０２２６号公報
【発明の開示】
【発明が解決しようとする課題】
【０００４】
確かに、特許文献１にある提案を始めとしたパチンコ遊技機によれば、実際に台に座っている遊技者のスランプ感を緩和ないし払拭できそうである。しかしながら、玉を発射していない非稼動状態にあるときに遊技者を引き寄せる魅力はない。
【０００５】
上記のような事情に鑑み、本発明は非稼動状態にあっても遊技者を引き寄せる工夫がなされ、容易に稼動を高めることができるパチンコ遊技機を提供することを目的とする。
【課題を解決するための手段および発明の効果】
【０００６】
上記課題を解決するために本発明のパチンコ遊技機は、大当たりを発生させるか否かを決定するための大当たり抽選処理を始動入賞に応じて実行する大当たり抽選手段と、大当たり抽選処理の結果を大当たり図柄またはハズレ図柄にて表示する図柄表示手段と、始動入賞を開始条件として図柄表示手段の図柄変動を開始し、開始条件となる始動入賞以降の始動入賞を停止条件としてその図柄変動を停止し、大当たり抽選処理の結果を表示する制御を行なう表示制御手段と、を備えたことを主要な特徴とする。
【０００７】
上記本発明によれば、玉が発射されていない非稼動状態であっても、図柄変動が行なわれることになる。すると、遊技者は「現在行なわれている図柄変動で当たるのでは？」という憶測を働かせるようになり、その図柄変動中の遊技台を打ちたくなる。このようにして、非稼動状態でも遊技者を引き寄せることが可能となる。また、遊技者が遊技をやめるときには、最後の始動入賞に基づく抽選結果を確認できないまま終わることになる。しかしながら、遊技者は抽選結果を最後まで確認したいという願望を持っているので、なかなか遊技をやめられない。結果として、遊技台の稼働率が高まる。また、図柄変動が常時行なわれていることになるから、遊技者のスランプ感を緩和することができる。
【０００８】
好適な態様において、上記本発明は、図柄表示手段が図柄変動を行なっている最中に、この図柄変動が停止したときに表示するべき大当たり抽選処理の結果に関連付けられた表示演出を所定時間間隔で繰り返し実行する表示演出手段をさらに備える。簡単に言えば、誰も遊技をしていない空き台の状態であっても、現在行なっている図柄変動が大当たりに結び付く可能性を表示演出で報知する。このような構成によれば、遊技者は空き台の図柄変動もしっかりチェックするようになり、大当たりになる可能性が高い演出が行なわれている遊技台は打たざるを得ない。つまり、非稼動状態でも遊技者を引き寄せることが可能である。
【０００９】
また、上記した表示制御手段は、次の制御を実行する手段として構成することができる。すなわち、大当たり抽選処理の結果が所定の大当たりである場合には、停止条件となる始動入賞を待つことなく図柄表示手段の図柄変動を停止する制御を行なう。具体的には、大当たり抽選処理の結果が第１大当たりと、該第１大当たりとは大当たり乱数が相違する第２大当たりとのいずれであるのかを識別し、第１大当たりであるとの識別をすることを条件として次の始動入賞があるのを待つことなく図柄表示手段の図柄変動を停止する制御を実行する一方、第２大当たりであるとの識別をした場合に次の始動入賞を条件として図柄表示手段の図柄変動を停止する制御を実行する。このような構成によれば、次の始動入賞が無いのに図柄変動が停止動作に入ると大当たりが確定するから、遊技者に大きな満足感を与えることができる。
【発明を実施するための最良の形態】
【００１０】
以下、添付の図面を参照しつつ本発明の実施形態について説明する。
図１は、本発明のパチンコ遊技機の正面模式図である。パチンコ遊技機１は、台枠に取り付けられた正面ガラス扉５と、台枠の内側に配置されてガラス扉５によって覆われた遊技盤３を備える。遊技盤３は、円状の遊技領域を形成している。遊技盤３の下方には、玉供給皿６が設けられている。玉供給皿６に準備された遊技玉（パチンコ玉）は、ハンドル７等により構成される発射装置によって遊技盤３に向けて発射される。レールを通じて遊技盤３に達した玉は、打玉発射口から飛び出し、遊技盤３に打ち込まれている多数の釘に弾かれながら自重により落下する。遊技盤３の中央最下部には、アウト玉を回収するためのアウト玉回収口１５が設けられている。
【００１１】
遊技盤３によって形成された遊技領域の略中央には、液晶ディスプレイ１１が配置されている。液晶ディスプレイの代わりに、発光ダイオードを用いた７セグメント表示装置やリール式の表示装置も採用できる。液晶ディスプレイ１１は、アラビア数字等の図柄（キャラクタ）を３つ（複数）表示する。また、液晶ディスプレイ１１の周りに、ＬＥＤランプを用いた保留玉表示部１３が設けられている。保留玉表示部１３は、保留玉記憶部５２ａ（図１１参照）に記憶中の抽選結果の数を表示する。保留玉記憶部５２ａに記憶中の抽選結果の数を保留玉数という。液晶ディスプレイ１１の下方には、始動入賞口１７と大入賞口１９が配置されている。大入賞口１９は、アタッカータイプの電動入賞装置で構成されている。
【００１２】
図２に示すのは、パチンコ遊技機１の遊技制御装置３００の構成を示すブロック図である。図２に示すように、パチンコ遊技機１の遊技制御装置３００は、主制御基板１００（主制御部）、表示制御基板１０５（表示制御部）、音声制御基板１０６（音声制御部）、ランプ制御基板１０７（ランプ制御部）、払出制御基板１０８（賞球制御部）および発射制御基板１０９（発射制御部）を含むものとして構成されている。各基板が個別にＣＰＵやメモリを備える構成が一般的であるが、図２では省略している。電源回路部１１０は、所定電圧の電力を生成して各基板に供給する。
【００１３】
表示制御基板１０５は、主制御基板１００より入力される表示制御信号に応じて、液晶ディスプレイ１１に画像を表示させる処理を実行する。音声制御基板１０６は、入力される音声制御信号に応じてスピーカ１１６より音声を出力させる処理を実行する。ランプ制御基板１０７は、入力されるランプ制御信号に応じてランプ類１１７の点灯／消灯を制御する。払出制御基板１０８は、入力される賞球信号に応じて払出装置１１８を制御し、遊技者に対して所定量の賞球を払い出す。発射制御基板１０９は、遊技者がハンドル７（操作部）を操作することに応じて、該ハンドル７に対応して設けられた発射装置１１９を作動させる。ハンドル７の操作量に応じて、玉の打出し強さ（玉の飛距離）を調節することが可能となっている。主制御基板１００は、ＣＰＵ５０と、プログラム格納用のＲＯＭ５１と、ＲＡＭ５２と、入出力インターフェース５３とを備えており、これらはバスで接続されている。
【００１４】
図１１に示すごとく、ＲＡＭ５２は、保留玉記憶部５２ａ、保留玉数カウンタ５２ｂ、大当たり抽選用カウンタ５２ｃ、第１予告タイマ５２ｄ、第２予告タイマ５２ｅ、第１停止タイマ５２ｆおよび第２停止タイマ５２ｇを含み、プログラムワークエリアとして利用される。各種カウンタやタイマの役割は後述する。
【００１５】
図２に示すごとく、主制御基板１００には、始動入賞口１７に設けられた始動入賞検出器１７１と、大入賞口１９に設けられた大入賞検出器１９１とが、入出力インターフェース５３を介して電気的に接続されている。これらの検出器１７１，１９１は、有接点式または無接点式のセンサで構成される。また、大入賞口１９を構成するアタッカーの開閉は、入出力インターフェース５３および駆動回路（図示省略）を介して主制御基板１００に接続された大入賞ソレノイド１９２の励磁／非励磁の切り替えによって行なわれる。
【００１６】
始動入賞口１７に玉が入賞すると、始動入賞検出器１７１は玉の通過を検出して始動入賞信号を生成する。始動入賞口１７に玉が入賞することを始動入賞という。大入賞口１９に玉が入賞すると大入賞検出器１９１は大入賞信号を生成する。これらの入賞信号は主制御基板１００に入力される。主制御基板１００のＣＰＵ５０は、始動入賞検出器１７１から始動入賞信号を取得して、その信号取得タイミング（入力タイミング）に応じて、所定の電気的処理を実行する。その電気的処理は、パチンコ遊技機１に大当たりを発生させるか否かを決定するための大当たり抽選処理と、その大当たり抽選処理の結果を液晶ディスプレイ１１に導出表示するための表示処理と、液晶ディスプレイ１１に導出表示するべき図柄を決定するための図柄抽選処理とを含む。
【００１７】
主制御基板１００のＣＰＵ５０は、大当たり抽選処理の結果に応じて液晶ディスプレイ１１に導出表示するべき図柄を決定し、図柄抽選処理で決定した図柄を表示するべく表示制御信号（制御コマンド）を表示制御基板１０５に対して出力する。表示制御基板１０５は、入力された表示制御信号に応じて、液晶ディスプレイ１１の図柄、背景等を表示させる。たとえば、大当たり抽選処理で大当たりに当選した場合、液晶ディスプレイ１１には所定時間の画面スクロールを経て最終的に大当たり図柄（たとえば「７７７」等のゾロ目）が表示される。
【００１８】
表示制御基板１０５は、主制御基板１００から送られてくる制御信号に基づいて映像信号（ＲＧＢ信号、シンクロ信号）を生成して液晶ディスプレイ１１に送る。また、変動パターン指定信号（変動開始信号）によって画面スクロールを開始し、左図柄指定信号、右図柄指定信号、中図柄指定信号および変動停止信号を受信することにより、液晶ディスプレイ１１の変動を停止して大当たり図柄またはハズレ図柄を表示する。
【００１９】
ここで、本発明のパチンコ遊技機１に特徴的なのは、一の始動入賞を開始条件として液晶ディスプレイ１１が図柄変動を開始し、開始条件となる始動入賞以降の始動入賞を停止条件として図柄変動を停止し、大当たり図柄またはハズレ図柄を確定表示する点である。具体的には、主制御基板１００のＣＰＵ５０が表示制御基板１０５に変動開始信号を送信した後、次の始動入賞信号を取得することを条件として、表示制御基板１０５に変動停止信号を送信する。表示制御基板１０５は、主制御基板１００から図柄変動停止信号を受け取るまで液晶ディスプレイ１１の図柄変動を継続する制御を行なう。液晶ディスプレイ１１は、誰も遊技していない非稼動状態でも図柄が変動していることになる。
【００２０】
以下、フローチャートで詳細に説明する。図３は、主制御基板１００のＣＰＵ５０が実行するメイン処理のフローチャートであり、メイン処理のプログラムはＲＯＭ５１に格納されている。電源投入後、ＣＰＵ５０は割込みモードの設定やＲＡＭチェック等の初期化処理を実行する（Ｓ１）。初期化処理の終了後、遊技処理（Ｓ２）を実行する。Ｓ２の遊技処理は、図４に示すように、始動入賞処理、図柄変動開始処理、図柄変動中処理、停止判定処理、図柄変動停止処理および大当たり処理等のサブルーチンを含む。また、遊技処理の残余時間を利用して、非等速カウンタの加算処理（Ｓ３）を実行する。この非等速カウンタには、液晶ディスプレイ１１に表示するべき大当たり図柄を決定するための大当たり図柄抽選用カウンタと、ハズレ図柄を決定するためのハズレ図柄抽選用カウンタとが含まれる。タイマ割込み（Ｓ４）が発生した場合、Ｓ２の遊技処理を先頭から再び実行する。各遊技処理は、始動入賞口１７に玉が入賞した際に行なう始動入賞処理や図柄変動処理を含む。
【００２１】
図５に示すのは始動入賞処理のフローチャートである。始動入賞処理は、始動入賞口１７に玉が入賞することに応じて実行する処理である。ＣＰＵ５０は、まず、始動入賞検出器１７１から始動入賞信号が入力されるスイッチ回路の所定ポートの状態を読んで、始動入賞の有無を判断する（Ｓ１１）。始動入賞有りとの判断をした場合には、保留玉数カウンタ５２ｂを読んで保留玉記憶部５２ａの保留玉数＝４であるかどうかを判断する（Ｓ１２）。Ｓ１２の処理は、言い換えれば、大当たり抽選用カウンタ５２ｃから抽出する乱数（抽選結果）を新たに格納することができる空き領域の有無を判断する処理である。保留玉記憶部５２ａに空き領域があると判断した場合には、大当たり抽選用カウンタ５２ｃから乱数を取得し、取得した乱数を保留玉記憶部５２ａに格納する（Ｓ１３）。そして、保留玉数を計数するための保留玉数カウンタ５２ｂをインクリメントする（Ｓ１４）。
【００２２】
上記のように、大当たり抽選処理の結果である取得乱数は、ＲＡＭ５２の所定領域に割り当てられた保留玉記憶部５２ａに一時的に格納される。ＣＰＵ５０は、液晶ディスプレイ１１で新たな図柄変動を行なえる状態かどうかを確認してから最古の抽選結果を読み出す。先の大当たり抽選処理にかかる図柄変動が行なわれている最中には、後の大当たり抽選処理にかかる図柄変動を行なえないからである。先の大当たり抽選処理にかかる図柄変動が継続中である場合、大当たり抽選処理の結果である取得乱数は、ＲＡＭ５２の保留玉記憶部５２ａで保持する。
【００２３】
ここで大当たり抽選用カウンタ５２ｃは、図１２に示すごとく、「０〜１４９９」といった一定の数値範囲内におけるいずれかの整数値を示すものであり、ＣＰＵ５０にタイマ割込みがかかる毎に更新され（具体的には「＋１」される）、「１４９９」に到達した後は再び「０」またはランダムに決めた値からカウントアップされる。すなわち、大当たり抽選用カウンタ５２ｃは、取り得る乱数値が一定の数値範囲内を循環的に推移するカウンタである。通常の遊技状態において始動入賞口１７に玉が入賞し、その入賞に応じて大当たり抽選用カウンタ５２ｃから乱数が取得され、その乱数が予め定められた大当たり乱数「１０１〜１０６」に一致する場合に大当たり当選である。ＣＰＵ５０のタイマ割込みは、主制御基板１００に設けられたリセット回路部（図示省略）を用いて、およそ２ｍｓｅｃおきに発生する。そして、このタイマ割込みを契機にして、パチンコ遊技機１の動作を制御するためのプログラム（図３）を繰り返し実行する。
【００２４】
また、図１２に示すように、大当たりの種類には、大当たり乱数が相違する第１大当たりと第２大当たりとがある。具体的には、「１０１，１０４」が第１大当たりに当選であり、「１０２，１０３，１０５，１０６」が第２大当たりに当選である。第１大当たりは、保留玉がゼロであっても図柄変動開始時から所定時間が経過することを条件に液晶ディスプレイ１１の図柄変動を停止して大当たり図柄を表示する大当たりである。他方、第２大当たりに当選の場合は、次の始動入賞がある（保留玉を含む）まで液晶ディスプレイ１１の図柄変動を継続する。また、ハズレの場合にも、次の始動入賞があるまで図柄変動を継続する。したがって、電源投入時等を除き、誰も遊技していない状態でも液晶ディスプレイ１１は図柄変動を行なっている。
【００２５】
図６に示すのは図柄変動開始処理のフローチャートである。まず、大当たりフラグがオフであり、液晶ディスプレイ１１が図柄停止中であり、保留玉があることを確かめる（Ｓ２１，Ｓ２２，Ｓ２３）。保留玉の有無は、保留玉数カウンタ５２ｂを参照することによって判断する。保留玉がある場合には、保留玉記憶部５２ａから保留玉情報を読み込むとともに、保留玉数カウンタ５２ｂをデクリメントする（Ｓ２４）。保留玉情報は、大当たり抽選用カウンタ５２ｂから取得して格納しておいた乱数のことである。
【００２６】
次に、読み出した乱数が、大当たり乱数に一致するかどうかを判断する（Ｓ２５）。一致する場合には、最終的に大当たり図柄で停止する図柄変動を開始し、一致しない場合にはハズレ図柄で停止する図柄変動を開始する（Ｓ２６，Ｓ２７）。具体的には、液晶ディスプレイ１１に最終的に表示する大当たり図柄またはハズレ図柄と図柄変動の開始合図とを、表示制御基板１０５に送信するべき表示制御コマンドに変換して、送信タイミングが到来するまでレジスタやＲＡＭ５２等の記憶手段でコマンドを保持する。
【００２７】
次に、保留玉記憶部５２ａから読み出した乱数が第１予告演出に当選の乱数または第２予告演出に当選の乱数かどうかを判断する（Ｓ２８，Ｓ３０）。第１予告演出および第２予告演出は、図柄変動が大当たりに結び付く期待度を示す表示演出である。具体的には、図１０（ａ）に示すごとく、液晶ディスプレイ１１の図柄変動中に小さいキャラクタを表示する演出が第１予告演出である。図１０（ｂ）に示すごとく、液晶ディスプレイ１１の図柄変動中に第１予告演出のものより大きくて目立つキャラクタを表示する演出が第２予告演出である。これらの予告演出は、その時点で実行中の図柄変動が大当たりになる場合に高い確率で発生する。大当たり期待度がより高いのは図１０（ｂ）の第２予告演出の方である。
【００２８】
大当たり予告演出およびリーチ演出を発生する乱数の設定例を図１３に一覧で示す。本実施形態においては、図６のフローのＳ２８，Ｓ３０に示すごとく、図１１（ａ）（ｂ）の予告演出を行なうかどうかを大当たり抽選用カウンタ５２ｃから取得した乱数を用いて決定するようにしている。もちろん、乱数カウンタを別途設けてもよい。図１３の一覧から分かるように、第２予告演出から第１リーチに発展した場合の大当たり期待度は約６７％と高い。また、第２予告演出から第２リーチに発展した場合でも大当たり期待度２５％、第１予告演出が発生した場合でも大当たり期待度２０％または１０％であり、かなり期待できる。もしも予告演出が行なわれている空き台を発見した場合、遊技者はこれを打たない訳にはいかない。
【００２９】
また、リーチ演出の種類として、第１リーチ演出と第２リーチ演出とを設けている。図１０（ｃ）は、左右の図柄が同一図柄となって中央の図柄のみが変動しているリーチ状態を表わしている。第１リーチ演出は、次の始動入賞の有無によらず、図１０（ｃ）のリーチ状態まで発展するリーチ演出である。他方、第２リーチ演出は、次の始動入賞があることを条件として図１０（ｃ）のリーチ状態まで発展するリーチ演出である。ただし、第１リーチ演出を行なう場合でも、第１大当たり当選時以外は次の始動入賞があるまで、図１０（ｃ）のリーチ状態で図柄変動が継続する。
【００３０】
また、本実施形態では、第１リーチ演出および第２リーチ演出ともに予告演出を伴うものとしているが、予告演出を伴わないリーチ演出を行なってよいことはもとより、予告演出を伴わないリーチ演出から大当たり図柄が停止するようにしてもよい。さらに、本実施形態では、第１リーチ演出が発生したときにのみ第１大当たりとなるようにしているが、第２リーチ演出の場合であっても第１大当たりとなるようにしてもよい。この場合、次の始動入賞なして大当たりとなるときには、リーチ演出を飛ばしていきなり大当たり図柄で停止する表示制御を行なうとよい。もちろん、保留玉として始動入賞が記憶されているときには、第２リーチ演出を行なって大当たり図柄を停止することとなる。また、リーチ状態となった場合には予告演出を行なわないようにしてもよい。
【００３１】
また、図１０（ａ）（ｂ）に示す第１予告演出および第２予告演出は、液晶ディスプレイ１１の図柄変動が開始した後に所定時間が経過した時点でキャラクタが出現するように設計する。図柄変動開始後のその所定時間を計測するタイマが、ＲＡＭ５２に設定した第１予告タイマ５２ｄと第２予告タイマ５２ｅである（図１１参照）。したがって、図６のフローのＳ２８またはＳ３０で予告演出に当選であるとの判断をした場合には、第１予告タイマ５２ｄまたは第２予告タイマ５２ｅをスタートする。なお、第１予告タイマ５２ｄおよび第２予告タイマ５２ｅは、アップカウンタとダウンカウンタとのいずれでもよい。また、これらのタイマ５２ｄ，５２ｅは、ＣＰＵ５０にリセットがかかる毎に更新される等速カウンタとして構成する。
【００３２】
また、図１０（ａ）（ｂ）に示す第１予告演出および／または第２予告演出は、キャラクタが画面を左から右に素早く走り去っていくような態様で実施するのがよい。第１予告演出および／または第２予告演出を短時間または一瞬で終えるようにすれば、演出実施中にたまたま前を通りかかった遊技者だけがこれを見ることができるので、予告演出が行なわれている台のみを選んで遊技することは困難である（ハイエナ防止効果）。
【００３３】
次に、図７に示すのは図柄変動中処理のフローチャートである。まず、Ｓ４１において図柄変動中であるかどうかを判断する。たとえば、図柄変動開始信号を表示制御基板１０５に送信したらオンになり、図柄変動停止信号を表示制御基板１０５に送信したらオフになるフラグを設定することにより、主制御基板１００は表示制御基板１０５にアクセスすることなく液晶ディスプレイ１１が図柄変動中かどうかを判断できる。図柄変動中であることを確認したら、図柄停止フラグのオンオフを判断する（Ｓ４２）。この図柄停止フラグは、保留玉記憶部５２ａに１つ以上の保留玉があるかどうかを判断するためのフラグである。オンであればその時点で保留玉が１つ以上あること、つまり現在行なっている図柄変動の契機である始動入賞の後に、別の始動入賞があったことを示す。オフならばその時点で保留玉がゼロであること、つまり現在行なっている図柄変動の契機である始動入賞の後に、別の始動入賞が未だ無いことを示す。
【００３４】
図柄停止フラグがオフの場合、先に説明した第１予告タイマ５２ｄまたは第２予告タイマ５２ｅがタイムアップかどうかを判断する（Ｓ４３，Ｓ４５）。第１予告タイマ５２ｄがタイムアップすれば、表示制御基板１０５に第１予告演出の実行を指示するコマンドを送信する、または送信の準備をする（Ｓ４４）。第２予告タイマ５２ｅについても同様である（Ｓ４６）。なお、各予告タイマ５２ｄ，５２ｅは、Ｓ５２でリスタートする。このフローによれば、予告タイマ５２ｄ，５２ｅの設定時間にも関係するが、図柄変動開始時に時間設定をする予告タイマ５２ｄ，５２ｅがタイムアップすると予告演出を１回行ない、その時点で予告タイマ５２ｄ，５２ｅをリスタートするので、１回の図柄変動中に何回も繰り返し同じ予告演出が行なわれることとなる。繰り返し予告演出を行なう構成とすることにより、比較的長い時間に渡って空き台となる場合であっても定期的に予告演出を行なうことになるから、遊技者を招き入れる効果が持続する。
【００３５】
なお、第１予告タイマ５２ｄが計測する時間は、一定であってもよいし不定であってもよい。第２予告タイマ５２ｅについても同様である。各予告タイマ５２ｄ，５２ｅが計測する時間を一定とする場合、Ｓ５２で予告タイマ５２ｄ，５２ｅをリスタートするとき、各予告タイマ５２ｄ，５２ｅの設定時間は前回の設定時間と同一時間とする。他方、不定とする場合、Ｓ２９、Ｓ３１ならびにＳ５２において、各予告タイマ５２ｄ，５２ｅが計測するべき時間を複数通りの設定時間（たとえば３０秒、１分、５分、３０分）から乱数抽選で選ぶようにしてもよい。このようにすれば、空き台の状態のとき予告演出がランダムな時間間隔で発生することになり、変化に富む演出に寄与する。なお、予告タイマ５２ｄ，５２ｅが計測するべき時間の乱数抽選のタイミングを始動入賞時の乱数取得タイミング（Ｓ１３）とすることもできる。
【００３６】
次に、リーチ演出中かどうかを判断する（Ｓ４７）。リーチ演出中でないことを確認したら、図６のＳ２４で保留玉記憶部５２ａから読み出した乱数（ＣＰＵ５０のレジスタ等の記憶手段で一時的に保持しておくことにする）が、第１リーチ演出に当選の乱数かどうかを判断する。第１リーチ演出に当選の場合には、左右の図柄を停止してリーチ演出を行なう指示のコマンドを表示制御基板１０５に対して送信し、リーチ演出を開始する（Ｓ４９）。第１大当たりに当選かどうかを判断する（Ｓ５０）。第１大当たりに当選の場合には、第２停止タイマ５２ｇをスタートする（Ｓ５１）。上記の第２停止タイマ５２ｇがタイムアップすると、次の始動入賞の有無によらず、現在行なっている図柄変動を停止するコマンドを表示制御基板１０５に送信する。
【００３７】
たとえば、上記第２停止タイマ５２ｇを２０秒〜３０秒程度に設定するならば、第１大当たりに当選のときに限って、確実に大当たりを獲得して遊技をやめることが可能となる。一方、第２停止タイマ５２ｇを相当長い時間（たとえば３０分）に設定する場合、次の始動入賞の有無によらず図柄変動が停止するといっても、誰も遊技を行なっていないときに大当たりが発生する可能性がある。したがって、第１大当たりの発生時には第２停止タイマ５２ｇがタイムアップしたら、遊技者によって遊技が行なわれている最中かどうかを判断し、遊技中でない場合にはリーチ状態のまま待機するとともに、遊技中となってから直ちに大当たりを発生させる構成とすることができる。このようにすれば、無人の遊技台で大当たりが発生する問題を解消できる。また、リーチ状態で変動している場合は、大当たりの期待度が相当高いことになり、遊技者の遊技意欲を誘うことができる。なお、遊技中かどうかは、ハンドル操作が行なわれているかどうか、アウト玉が発生しているかどうか等の一または複数の条件から判断することができる。
【００３８】
また、リーチ演出が開始された場合であっても、Ｓ５２の処理を実行するので、リーチ演出中にも予告演出が行なわれ、リーチ演出の期待度を遊技者に報知することが可能である。もちろん、リーチ演出中は予告タイマを作動させず、予告演出を行なわないようにしてもよい。また、Ｓ４７において、リーチ演出中であると判断した場合、Ｓ５１でスタートした第２停止タイマ５２ｇがタイムアップかどうかを判断する（Ｓ５３）。第２停止タイマがタイムアップであると判断した場合は、図柄停止フラグをオンに切り替える（Ｓ５４）。
【００３９】
次に、図８に示すのは停止判定処理のフローチャートである。まず、図柄変動中であるかどうかを判断する（Ｓ６１）。図柄変動中であることを確かめたら、保留玉の有無を判断する（Ｓ６２）。保留玉があれば、図柄停止フラグをオンに切り替えて、第１停止タイマ５２ｆをスタートする（Ｓ６３，Ｓ６４）。図柄変動を停止するタイミングを計測する第１停止タイマ５２ｆおよび第２停止タイマ５２ｇは、ＣＰＵ５０にリセットがかかる毎にインクリメントされる等速カウンタとしてＲＡＭ５２に設けている。
【００４０】
次に、図９に示すのは図柄変動停止処理のフローチャートである。まず、図柄停止フラグのオンオフを判断する（Ｓ７１）。図柄停止フラグがオンであるということは、別の始動入賞があったこと、もしくは第２停止タイマ５２ｇがタイムアップしたこと（図７：Ｓ５４）を意味するので、現在行なっている図柄変動を終了できる。したがって、リーチ演出中であるかどうかを判断し、リーチ演出中でないことを確かめて（Ｓ７２）、第１停止タイマ５２ｆがタイムアップかどうかを判断する（Ｓ７３）。第１停止タイマ５２ｆがタイムアップしたことを確認したら、図６のＳ２４で保留玉記憶部５２ａから読み出した乱数が、第１予告演出に当選の乱数または第２予告演出に当選の乱数かどうかを判断する（Ｓ７４，Ｓ７６）。第１予告演出に当選であるとの判断をした場合には、表示制御基板１０５に第１予告演出の実行を指示するコマンドを送信する（Ｓ７５）。第２予告タイマ５２ｅについても同様である（Ｓ７７）。表示制御基板１０５は、コマンドを取得して第１予告演出または第２予告演出を実行する。また、保留玉記憶部５２ａから読み出した乱数がリーチに当選かどうかを判断する（Ｓ７８）。当選の場合には、リーチ用のコマンドを表示制御基板１０５に送信する（Ｓ７９）。
【００４１】
そして、図柄変動を停止するためのコマンドを表示制御基板１０５に送信し、図柄停止フラグをオフに切り替える（Ｓ８０，Ｓ８１）。表示制御基板１０５は、液晶ディスプレイ１１の表示を制御して大当たり図柄またはハズレ図柄を表示する。図柄変動を停止して、液晶ディスプレイ１１に最終的に確定表示した図柄が大当たり図柄である場合には、大当たりフラグをオンに切り替える（Ｓ８２，Ｓ８３）。同様に、Ｓ７２でリーチ演出中であると判断した場合にも、図柄変動を停止する処理を行なう。図９のフローによれば、リーチ演出中は予告演出を行なわないことにしているが、リーチ演出中に予告演出を重複して行なうようにしてもよい。そうすれば、遊技者に改めて演出を確認させることができる。また、Ｓ７５とＳ７７の処理は、予告タイマではなく第１停止タイマ５２ｆのタイムアップに応じて実行するので、始動入賞した場合に遊技者が改めて演出を確認できる、あるいは予告タイマに「３０分」等の長い時間が設定されている場合であっても、始動入賞に応じて予告演出を開始することが可能になる。
【００４２】
なお、電源投入時は、通常のパチンコ遊技機と同様に図柄停止状態から開始し、最初の始動入賞があったときからフローチャートで説明した処理を行なうようにすることができる。電源切断時には図柄変動を強制的に終了させ、抽選結果を消去する。他方、電源投入時から図柄変動を開始する構成とすることも可能である。具体的には、ＲＯＭ５１をＥＥＰＲＯＭなどの不揮発性メモリで構成し、電源切断時に変動中の抽選結果をＲＯＭ５１に記憶しておき、電源投入時にその記憶しておいた抽選結果に基づいて図柄変動を再開する。また、工場出荷時にはＲＯＭ５１に予め抽選結果を１つだけ書き込んだ状態で出荷する（１００台に１台程度は大当たりの抽選結果を書き込んだ状態で出荷してもよい）。このような構成とすれば、電源投入後、最初に遊技する遊技者が１回分の始動入賞を損することがない。
【００４３】
また、本実施形態においては、図柄変動を開始する始動入賞の次の入賞により図柄変動を停止するようにしたが、次の入賞以降いずれの始動入賞によって図柄変動を停止するようにしてもよい。たとえば、図柄変動を開始する始動入賞の２つ後、３つ後の始動入賞を停止条件とすることができる。また、どの始動入賞で図柄変動を停止するのかを乱数抽選あるいは大当たり期待度に応じて（期待度が高い場合は４つ後の始動入賞を停止条件とする等）変更する停止条件変更手段（ＣＰＵ５０）を設けるようにしてもよい。乱数抽選のタイミングは、たとえば図柄変動を開始する始動入賞時等とすることができる。さらに、幾つ目の始動入賞あるいは、停止条件を満たす始動入賞となるまであと何回の始動入賞が必要であるのかを表示する停止条件表示手段（ＣＰＵ５０）を設けるようにしてもよい。そうすれば、遊技者が抽選結果を確認したいという願望を程よく煽ることができる。さらに、大当たり期待度に応じて停止条件となる始動入賞を変更するようにすれば、期待度の高い停止条件が表示されたときの興趣が高まるとともに遊技を止められなくなり、稼働率が高まる。
【図面の簡単な説明】
【００４４】
【図１】本発明のパチンコ遊技機の正面模式図。
【図２】図１のパチンコ遊技機の構成を示すブロック図。
【図３】主制御基板で実行するメイン処理のフローチャート。
【図４】遊技処理のフローチャート。
【図５】始動入賞処理のフローチャート。
【図６】図柄変動開始処理のフローチャート。
【図７】図柄変動中処理のフローチャート。
【図８】停止判定処理のフローチャート。
【図９】図柄変動停止処理のフローチャート。
【図１０】液晶ディスプレイを使った表示演出を例示する図。
【図１１】主制御基板のＲＡＭの概念図。
【図１２】大当たり抽選用カウンタの概念図。
【図１３】大当たり予告演出およびリーチ演出を発生する乱数の設定例。
【符号の説明】
【００４５】
１  パチンコ遊技機
１１  液晶ディスプレイ（図柄表示手段）
５０  ＣＰＵ（大当たり抽選手段、表示制御手段、表示演出手段）
５２  ＲＡＭ
１００  主制御基板（表示制御手段、表示演出手段）
１０５  表示制御基板（表示制御手段、表示演出手段）
【図１】
2006239143.tif 000003
【図２】
2006239143.tif 000004
【図３】
2006239143.tif 000005
【図４】
2006239143.tif 000006
【図５】
2006239143.tif 000007
【図６】
2006239143.tif 000008
【図７】
2006239143.tif 000009
【図８】
2006239143.tif 000010
【図９】
2006239143.tif 000011
【図１０】
2006239143.tif 000012
【図１１】
2006239143.tif 000013
【図１２】
2006239143.tif 000014
【図１３】
2006239143.tif 000015